(57)【要約】  一本以上の弦を有する楽器（１３８）に使用する受動的ノイズ低減デバイス（１００）であって、楽器（１３８）は、少なくとも１つのコイル（１６２）を有する、少なくとも１つの電磁ピックアップ（１４０、１４２、１４４）を有し、ピックアップ（１４０、１４２、１４４）は、少なくとも１本の弦の振動に反応して、ピックアップ・コイル（１６２）内に音楽電気信号成分を生成し、弦の振動に加えて、同ピックアップは、１つ以上の刺激に反応して、ピックアップ・コイル（１６２）内にノイズ電気信号成分を生成する。  デバイス・コイル（１０２）を含むデバイス（１００）は、巻回されて少なくとも１つの自由形状リング、ピックアップ・コイル（１６２）接続用の第１端子、接地用の第２端子を形成し、デバイス・コイルは１つ以上の刺激に反応するので、デバイス・コイル（１０２）内にノイズ電気信号成分を生成し、ピックアップ・コイルおよびデバイス・コイルは、実質的に同じ平面に載置され、ピックアップ・ノイズ電気信号成分の位相が、デバイス・ノイズ電気信号成分に対して実質的に１８０°シフトするように、ノイズ低減デバイス・コイル（１０２）は巻回され、デバイス・ノイズ電気信号成分が壊滅的にピックアップ・ノイズ電気信号成分に干渉するように、出力回路に結果的に生じる電気信号内のノイズを低減する。【選択図】図１９
2016519789.tif 000002
【特許請求の範囲】
【請求項１】
一本以上の弦を有する楽器に使用する受動的ノイズ低減デバイスであって、同楽器は、少なくとも１つのコイルが備えられた、少なくとも１つの電磁ピックアップを有し、同ピックアップは、少なくとも１本の弦の振動に反応して、ピックアップ・コイル内に音楽電気信号を生成し、弦の振動に加えて、同ピックアップは、１つ以上の刺激に反応して、ピックアップ・コイル内にノイズ電気信号を生成し、ピックアップ・コイルの第１端子は出力回路に接続され、ピックアップ・コイルの第２端子は、デバイスに接続され、ノイズ低減デバイスは、デバイス・コイルを有し：
デバイス・コイルは、導体を有し、この導体は、少なくとも１つの自由形状リングを形成するように巻回され、デバイス・コイルの第１端子はピックアップ・コイルの第２端子に接続され、デバイス・コイルの第２端子は接地され、デバイス・コイルは１つ以上の刺激に反応するので、デバイス・コイル内にノイズ電気信号成分を生成し、
導体は実質的に、一般式：８ｐＬ／Ａ＝Ｒ、を満たし：
式中、ｐは導体の固有抵抗であり、Ｌは導体の長さであり、Ａは導体の断面積であり、Ｒはピックアップ・コイルの抵抗であり、
ピックアップ・コイルおよびデバイス・コイルは、実質的に同じ平面に載置され、
ノイズ低減デバイス・コイルは巻回され、デバイス・ノイズ電気信号成分に対して、ピックアップ・ノイズ電気信号成分の位相が、実質的に１８０°シフトするように、デバイス・ノイズ電気信号成分が壊滅的にピックアップ・ノイズ電気信号成分に干渉するように、出力回路に結果的に生じる電気信号内のノイズを低減する、
受動的ノイズ低減デバイス。
【請求項２】
導体は、銅ワイヤーである、請求項１〜３のいずれか一項に記載の受動的ノイズ低減デバイス。
【請求項３】
導体は、電気的に絶縁処理されている請求項１または２のいずれかに記載の受動的ノイズ低減デバイス。
【請求項４】
Ａは約８  ｘ  １０−９ｍ２であり、Ｐは１．６８  ｘ  １０−８Ωｍであり、および、Ｌは約３４５  ｍである、請求項１〜３のいずれか一項に記載の受動的ノイズ低減デバイス。
【請求項５】
導体は、３４〜４２ＡＷＧ（Ａｍｅｒｉｃａｎ  Ｗｉｒｅ  Ｇａｕｇｅ）ワイヤーである、請求項１〜３のいずれか一項に記載の受動的ノイズ低減デバイス。
【請求項６】
導体は、３８または３９ＡＷＧワイヤーである、請求項１〜３のいずれか一項に記載の受動的ノイズ低減デバイス。
【請求項７】
導体の長さは、１５〜４００メートルである、請求項１〜３のいずれか一項に記載の受動的ノイズ低減デバイス。
【請求項８】
導体のインピーダンスは、２００〜１０００Ωである、請求項１〜３のいずれか一項に記載の受動的ノイズ低減デバイス。
【請求項９】
導体は、基板上に巻回される、請求項１〜８のいずれか一項に記載の受動的ノイズ低減デバイス。
【請求項１０】
基板は粘着フィルムまたはテープである、請求項９に記載の受動的ノイズ低減デバイス。
【請求項１１】
デバイス・コイルは、電気的に絶縁される、請求項１〜１０のいずれか一項に記載の受動的ノイズ低減デバイス。
【請求項１２】
自由形状リングの直径は、実質的に円形形状にされると約８〜１０ｃｍになる、請求項１〜１１のいずれか一項に記載の受動的ノイズ低減デバイス。
【請求項１３】
自由形状リングは巻回されて実質的に平らな断面リングを形成する、請求項１〜１２のいずれか一項に記載の受動的ノイズ低減デバイス。
【請求項１４】
自由形状リングの断面の幅は約１ｃｍである、請求項１〜１３のいずれか一項に記載の受動的ノイズ低減デバイス。
【請求項１５】
デバイス・コイルは、２つ以上の自由形状リングを有する、請求項１〜１４のいずれか一項に記載の受動的ノイズ低減デバイス。
【請求項１６】
請求項１５に記載の受動的ノイズ低減デバイスであって、２つ以上の電磁ピックアップを有する楽器に使用するため、自由形状リングの１つは、少なくとも１つの他の自由形状リングに対して、位相が１８０°シフトするように形成され、電磁ピックアップの１つは、少なくとも１つの他の電磁ピックアップに対して、位相が１８０°シフトするように巻回され、あるいは、少なくとも２つのピックアップ・コイルを有する少なくとも１つの電磁ピックアップを含む楽器に使用するため、ピックアップ・コイルの１つは、少なくとも１つの他のピックアップ・コイルに対して、位相が１８０°シフトするように巻回される、
受動的ノイズ低減デバイス。
【請求項１７】
請求項１〜１６のいずれか一項に記載の受動的ノイズ低減デバイスであって、デバイス・コイルは、電気的にシールドされた接続導体によってピックアップ・コイルに接続され、そのシールドは接地されている、受動的ノイズ低減デバイス。
【請求項１８】
電気的にシールドされた接続導体は、同軸の導体である、請求項１７に記載の受動的ノイズ低減デバイス。
【請求項１９】
デバイス・コイルは、電磁ノイズからのシールド加工を必要としない、請求項１〜１８のいずれか一項に記載の受動的ノイズ低減デバイス。
【請求項２０】
請求項１〜１９のいずれか一項に記載の受動的ノイズ低減デバイスであって、ノイズ低減デバイスは、抵抗器、コンデンサー、増幅器、差動増幅器等の電気部品を必要とせず、複数のこれら電気部品および／またはこれら電気部品の組み合わせも、必要としない、受動的ノイズ低減デバイス。
【発明の詳細な説明】
【技術分野】
【０００１】
本発明は、ノイズ低減デバイスに関する。ノイズ低減装置は、ギターやバイオリン等の電子弦楽器のノイズを低減するのに特に有益である。
【背景技術】
【０００２】
磁気透過材料による１本以上の弦を有する弦楽器の音を増幅させる一般的な方法として、磁気ピックアップを弦の下に配設して使用する方法が挙げられる。ユーザーが電子弦楽器を演奏する際は、弦が倍音周波数を伴って振動し、ピックアップは弦の振動を感知して電気信号を生成し、次に、その信号が増幅器に伝えられ、スピーカー・システムから音声出力される。出力音声は、弦の振動を正確に反映していることが理想的である。
【０００３】
ピックアップは、１つ以上の磁気浸透性の金属芯材を包む１つ以上のコイルを含み、それら自体が磁性を有するか、近傍の永久磁石によって磁化される。ピックアップ・コイルの周囲を流れる磁界は、一定なので（弦の振動がない場合）、この磁気構造によって発生する磁界自体によって、ピックアップの金属コイル内部に電気信号を生成しない。
【０００４】
楽器の金属弦は、ピックアップの磁界構造の近傍に位置するので、各弦の小さいエリアが磁化される。この磁化された弦のエリアのサイズは、ピックアップ磁気手段の露出した上面の幅に近似する。
【０００５】
一方、磁化された弦エリアは、ピックアップに向かって独自の磁界を放射する。弦が振動していない場合、この磁界はピックアップのコイルの内部に電気的信号を生成しない。しかし、例えば、演奏者がその楽器を弾くことにより、弦が振動すると、磁化された弦のエリアも振動し、交番磁界を生成してピックアップと相互作用するので、電気信号は、コイルを通過する。
【０００６】
電気信号は、弦の機械的振動の周波に対応する。信号は、増幅器による増幅のために、電気回路を通過し、可聴音を生成するために、スピーカー・システムを通過する。
【０００７】
初期のピックアップ設計仕様は、ピックアップにピックアップ・コイルを含み、そのコイルは一方向に巻回され、キラル特性を有した。そのようなピックアップは、当該技術において「シングル・コイル」ピックアップとして知られる。
【０００８】
本明細書および／または請求項に使用される「キラル」という用語は、通常、その鏡像に重ね合わせることのできない物体のことを言う。例えば、右巻きのコイルは左巻きのコイルと類似せず、同様に時計方向巻きのコイルは、反時計方向巻きのコイルと類似しないので、シングル・コイルの巻回は、キラルである。
【０００９】
そのようなシングル・コイル・ピックアップは、弦の振動を正確に反映した所望のトーンを生成することができるが、他の刺激によって多くのノイズを拾ってしまうという欠点も、シングル・コイル・ピックアップ設計仕様は有する。これらの追加的な刺激には、外部電波、外部発生の電気的および磁気的な干渉、電子弦楽器および／または増幅器の回路内で発生する刺激、および、その他の電気的、磁気的、または、電磁的ノイズの発生が含まれる。
【００１０】
ピックアップもこれらの追加的刺激を感知し、それに反応してピックアップ・コイル内に、弦（単数または複数）が振動することにより発生する信号に類似するノイズ信号を発生させる。追加的な刺激によってコイル内で発生する電気信号は、ノイズ信号と呼ばれ、弦（単数または複数）の振動によってピックアップ・コイル内で発生する電気信号は、音楽信号と呼ばれる。
【００１１】
弦楽器の増幅音に不要な歪みを発生させるノイズ信号の問題を解決しようと、様々な試みが行われている。音楽信号を保持しながらノイズ信号を消そうと様々な手段を用いた解決策が試行された。しかし、これらの解決策によって、音楽信号にトーン、ティンバー等の質的変化がもたらされ、さらに、生成音の忠実度が高くないと思われる等の新たな問題が発生した。
【００１２】
従来の解決策に伴うさらなる問題に、信号の出力が増大する傾向があり、それによってフィードバックの問題が発生することがある。
【００１３】
さらに、従来のノイズ低減解決策の多くは、製造するのが複雑、困難、および高価で、操作が難しく、弦楽器内に取り付けることも困難である。さらに、従来のノイズ低減解決策の多くは、楽器に対して侵襲的であるので、そのようなデバイスや部品を収納する前に、楽器のデザインを設計し直す必要が生じる。さらに、楽器に侵襲的に取り付けたり、楽器のデザイン設計をやり直したりすることは、美的外観を損ねることになり、特に、楽器が高価値および／または稀少であれば、楽器の価値を著しく下げることとなる。
【００１４】
【特許文献１】に開示の従来の解決策では、ワイヤー１２および１４の２つのコイルを有するピックアップ１０が提供され、一方のコイルは、他方のコイルに対して逆の方向に巻回されている。このデバイスはさらに、バー・マグネット１６を有し、このバー・マグネット１６は、ピックアップ・コイル１２、および、１４内のそれぞれに配設されたピックアップ・マグネット１８を磁化する。一方のコイルは、バー・マグネットに引きつけられ、北向きの磁界を形成し、もう一方のコイルは、バー・マグネットに引きつけられて、南向きの磁界を形成する。コイルは互いに隣り合うように取り付けられ、直列に接続されて、シリーズ２４を形成する。１つのコイルの端子２０は増幅回路にまで延伸し、結果的に得られた信号を伝達する。他のコイルからの端子２２は、接地される。
【００１５】
図１は、１つのコイルによるノイズ信号を、もう１つのコイルによるノイズ信号に対して、位相を１８０°シフトすることによりノイズを低減しようとする設定を示す。残念ながら、図１に示すノイズ低減デバイスおよび方法も、シングル・コイル・ピックアップとは違う音楽トーンを生成する結果となる。さらに、図１に示すピックアップの設計仕様は、シングル・コイル・ピックアップよりも、磁界が広くなり、生産がより複雑になる。そのようなダブル・コイル・ピックアップから発せられた音楽信号の変化したトーンを嫌う演奏者やリスナーが一部にいると考えられる。
【００１６】
図２は、
【特許文献２】に開示された従来の別の解決策を示す。この設計仕様では、互いに逆方向に巻回され（時計方向と反時計方向）、一方を他方に積み上げたコイルを有する２つのピックアップを再度採用している。
【００１７】
デバイス３０は、コイルＡ３２を含み、コイルＡ３２は右方向に巻回され、コイルＢ３４は、反時計方向に巻回される。ピックアップは、小型の円筒形のマグネット３６を含む。コイルＡからの端子３８は、信号を通過させ、コイルＢからの別の端子４０は、接地される。コイル３２および３４は、直列接続されて、シリーズ４２を形成する。
【００１８】
図２の解決策は、ノイズ・キャンセリングまたは低減のために１８０°の位相反転を行う間に、シングル・コイル・ピックアップにより生成されるトーンとは異なるトーンを生成する。図１の解決策と同様に、図２の解決策は、製造が困難で、弦楽器の美観を損なう改造が必要となる。これは、当該デバイスが販売後に取り付けられる場合に特に当てはまる。演奏者やリスナーにとって、図２に示す解決策によって生成される音楽トーンは、シングル・コイル・ピックによって生成されるトーンと比べて、全く好適ではないと思われる。
【００１９】
さらに従来の解決策は、ピックアップ回路に組み込まれた「ダミー・コイル」を含む必要があった。（特許文献３）に開示される、その解決策を図３に示す。このデバイス５０のダミー・コイル５８は、シングル・コイル・ピックアップ５２の磁界の外側に取り付けられる。シングル・コイル・ピックアップの磁界は、ピックアップ・マグネット５４によって生成される。ダミー・コイルは、信号を、シングル・コイル・ピックアップ端子６２を介して送信される信号と共に、端子６４を介して差動増幅器６０に送信する。ピックアップのもう一方の端子５６は接地される。
【００２０】
このダミー・コイルは、シングル・コイル・ピックアップよりもインピーダンスが低く、差動増幅器（またはトランジスター回路）の能動回路を使用し、ダミー・コイルによって生成されたノイズ信号を、シングル・コイル・ピックアップによって生成されるノイズと概ね同等のレベルにまで増幅するこのデバイスは、ピックアップからのノイズ信号に対して、ダミー・コイルからのノイズ信号の位相を１８０°シフトすることを、差動増幅器に依存する。
【００２１】
図３に示す解決策は、所望のシングル・コイル・ピックアップ設計仕様を保持するが、この解決策は、大型のダミー・コイル、電源、および、回路を必要とするので、複雑かつ高価であり、製造および弦楽器への適合が困難である。このデザイン仕様も、楽器のデザイン面で美観を損ねる結果に至る。さらに、図３の解決策は、音楽信号のトーンの質を変え、その楽器の演奏者やリスナーにとっては好ましくない音を生成する。
【００２２】
４番目のノイズ低減の従来技術を図４に示す。この解決策は、（特許文献４）に開示される。このデバイスは、低インピーダンスのワイヤーの大型コイル（約２００〜１０００Ω）を使用し、ＣＨＩＬＩＡＣＨＫＩデバイスの好適な実施形態は、８〜１６インチのコイルであり、ルート上のチャネルに配置され、弦楽器のボディに機械加工される。このデバイス７０は、コイル７４がルート上のチャネルに固着され、グラウンド８２にシールドされることを必要とする。
【００２３】
先述の従来技術と同様に、このデバイスは、コイル・マグネット７６によって磁化されるシングル・コイル・ピックアップ７２を使用する。このピックアップは、端子８０、および、別の端子７８を通して信号を送信し、制御回路に接続される。
【００２４】
ＣＨＩＬＡＣＨＫＩ設計仕様の１つの問題として、コイルを比較的大きくする必要があり、多くの場合、弦楽器に取り付ける際に、そのような大型コイルを収納するような空洞エリアをすぐに確保できないことが挙げられる。前述の通り、そのような大型コイルを取り付けるには、一般的に、楽器内にルート・チャネルを作成する必要がある。当然ながら、そのようなルーティングは製造に多額のコストが掛かり、さらに、弦楽器のトーン品質に影響するので、好ましくない。そのようなチャネルを楽器に切り刻むことも、美観を損ねることがあり得る。
【００２５】
ＣＨＩＬＩＡＣＨＫＩ設計仕様のさらなる非常に重大な欠点に、大型コイルを少なくとも、高周波電磁ノイズからシールドする必要性が挙げられる。楽器、および、ノイズ低減デバイスに対する、そのような遮蔽処理は、複雑になりがちで、弦楽器、または、ノイズ低減デバイスの生産に追加コストが掛かる。
【００２６】
さらに、ＣＨＩＬＩＡＣＨＫｌ設計仕様は、抵抗器やコンデンサーを含む制御回路への接続が必要となる。先述した通り、そのような追加の回路を当該ノイズ低減デバイスに使用することは、生産に追加のコストが掛かり、回路を弦楽器内に配置する必要があるので、生産上の問題と美観の問題が発生する。
【００２７】
本発明の目的は、従来のデバイスおよび方法における１つ以上の問題を克服するか、あるいは、少なくとも１つ以上の問題を、改善することである。本発明の別の考え得る目的は、上記従来技術、または他の従来技術における上記以外の問題を克服するか、あるいは、少なくとも１つ以上の問題を、改善することである。さらに、本発明のさらなる考え得る目的は、従来技術によるノイズ低減のデバイスおよび方法に代わる有益なデバイスおよび方法を提供することである。
【００２８】
本発明の考え得る用途は、従来技術のデバイスおよび／または方法と比較して、トーンやティンバーなどの楽器の音的性質に影響することなく、効率性に優れたノイズ低減を提供することである。
【００２９】
本発明の他の考え得る用途として、弦楽器の生産時に、あるいは、販売後（後から取り付け）のどちらに対しても、低侵襲性か非侵襲性であるノイズ低減デバイスを提供することである。
【００３０】
低コストで取り付けが簡単であることに付け加えて、さらに、考え得る目的として、上品で簡素な設計仕様を提供することがある。
【００３１】
本発明の他の考え得る目的として、使用しているシングル・コイル・ピックアップを取り替える必要がないノイズ低減デバイスおよび／または方法を提供することがある。
【００３２】
本発明の他の考え得る目的として、楽器のシングル・コイル・ピックアップ近傍に配置する必要のない、ノイズ低減デバイスおよび／または方法を提供することである。
【００３３】
本発明は、１つ以上の上記のいずれかの目的および／または応用に限定されることはなく、本発明は、上記以外の他の目的および／または応用に適合される場合があることを理解されたい。
【先行技術文献】
【特許文献】
【００３４】
【特許文献３】米国特許第２８９６４９１号明細書（Ｓ．Ｅ．ＬＯＶＥＲ）
【特許文献４】米国特許第６２９７５９号明細書（ＦＥＮＤＥＲ）
【特許文献５】米国特許第５５６９８７２号明細書
【特許文献６】米国特許第７２５９３１８号明細書（ＣＨＩＬＩＡＣＨＫＩ）
【発明の概要】
【００３５】
本発明は、一本以上の弦を有する楽器に使用する受動的ノイズ低減デバイスを提供し、同楽器は、少なくとも１つのコイルが備えられた、少なくとも１つの電磁ピックアップを有し、ピックアップは、少なくとも１本の弦の振動に反応して、音楽電気信号成分をピックアップ・コイル内に生成し、弦の振動に加えて、トーン、または、さらなる刺激に反応するので、ピックアップ・コイル内にノイズ電気信号成分を生成し、ピックアップ・コイルの第１端子は出力回路に接続され、ピックアップ・コイルの第２端子はデバイスに接続され、ノイズ低減デバイスは、デバイス・コイルを含み：
デバイス・コイルは、導体を有し、この導体は、少なくとも１つの自由形状リングを形成するように巻回され、デバイス・コイルの第１端子はピックアップ・コイルの第２端子に接続され、デバイス・コイルの第２端子は接地され、デバイス・コイルは１つ以上の刺激に反応するので、デバイス・コイル内にノイズ電気信号成分を生成し、
導体は実質的に、一般式：８ｐＬ／Ａ＝Ｒ、を満たし：
式中、ｐは導体の固有抵抗であり、Ｌは導体の長さであり、Ａは導体の断面積であり、Ｒはピックアップ・コイルの抵抗であり、
ピックアップ・コイルおよびデバイス・コイルは、実質的に同じ平面に載置され、
ノイズ低減デバイス・コイルは巻回され、デバイス・ノイズ電気信号成分に対して、ピックアップ・ノイズ電気信号成分の位相が、実質的に１８０°シフトするように、デバイス・ノイズ電気信号成分が壊滅的にピックアップ・ノイズ電気信号成分に干渉するように、出力回路に結果的に生じる電気信号内のノイズを低減する。
【００３６】
発明の追加実施形態の開示
【００３７】
本発明の一実施形態において、導体は銅ワイヤーである。
【００３８】
本発明の別の実施形態において、導体は電気的に絶縁される。ワイヤーは、エナメル処理により絶縁されてもよい。しかし、導体は、ワイヤー以外の導電材料から形成されてもよいことを理解されたい。
【００３９】
本発明の一実施形態において、Ａは約８  ｘ  １０−９ｍ２であり、Ｐは１．６８  ｘ  １０−８Ωｍであり、Ｌは約３４５  ｍである。この数式によると、この導体は、抵抗が約５．８ｋΩであるピックアップ・コイルに使用できる。約１．６８  ｘ  １０−８Ωｍのｐは、銅ワイヤーに相当することを理解されよう。
【００４０】
本発明の他の実施形態では、導体の断面はＡＷＧ（Ａｍｅｒｉｃａｎ  Ｗｉｒｅ  Ｇａｕｇｅ）の規格に基づいて選択してもよい。本発明のそれらの実施形態において導体は、３４〜４２ＡＷＧの間のワイヤーでよい。本発明の一部の実施形態において導体は、３８〜３９ＡＷＧの間のワイヤーでよい。約８  ｘ  １０−９ｍ２であるＡは、概ね３９ＡＷＧに該当することが理解されよう。
【００４１】
本発明の実施形態において導体は、粘着性フィルムやテープ等の、ある種の基板上に巻着してもよい。本発明の他の実施形態において、ノイズ低減デバイス・コイルは、少なくとも１つの自由形状リングに形成し、フィルムまたはテープを、その自由形状リング・コイルの周囲に形成してもよい。さらに、本発明の他の実施形態において、ノイズ低減デバイス・コイルを形成するために、自ら接合したワイヤーを使用してもよい。
【００４２】
自由形状リングの直径は約８〜１０ｃｍでよい（直径は、リングが円形または略円形の状態で測定）。リングは、様々なサイズおよび形状に形成されてもよいことを理解されたい。
【００４３】
ノイズ低減デバイス・コイルは、約１ｃｍの幅を有する、実質的に平らな断面リングを形成するよう巻回してもよい。別の方法として、このコイルを「束ねて」巻回し、略円形の断面を有するリングを形成してもよい。
【００４４】
本発明の一実施形態において、ノイズ低減デバイス・コイルは、２〜２．５回繰り返し巻回することによって形成してもよい。本発明の一部の実施形態において、導体のインピーダンスは２００〜１、０００Ωでよい。巻回の繰り返し、ワイヤーの長さ、インピーダンス、インダクタンス、および他の特性は、任意に選択可能であるが、実質的に数式に基づいている必要があることを理解されたい。
【００４５】
ノイズ低減デバイス内のコイルを形成するのに使用されるワイヤーのゲージ（または、導体の幅）は、ワイヤーの長さ（または、導体の長さ）に基づいて選択されることによって、デバイス・コイル内に所望のインピーダンスが得られることを理解されたい。例えば、３８ＡＷＧの銅ワイヤーの長さを、約６８０Ωのインピーダンスを有するコイルを形成するのに合わせてカットし、約５．８ｋΩの抵抗（またはリアクタンスを考慮したインピーダンス）を有するピックアップ・コイルに使用してもよい。
【００４６】
シングル・コイル・ピックアップは磁気変換器であり、１つ以上のマグネットをワイヤーのシングル・コイル内、または、近傍に有することを理解されよう。シングル・コイル・ピックアップのインピーダンスは、典型的に、３、０００〜１０、０００Ωである。さらに、シングル・コイル・ピックアップの製造には、典型的に、３８〜４４ＡＷＧの銅ワイヤーが使用される。
【００４７】
本発明の一実施形態において、デバイス・コイルは、従来技術のノイズ低減機器では必要であった電磁ノイズからの保護が不要なので、そのようなシールド加工はされていない。さらに、本発明の実施形態において、受動ノイズ低減デバイスは、抵抗器、コンデンサー、増幅器等の電気部品を必要としないので、これら電気部品は、単数でも複数でも含まれず、これらが組み合わされることもない。従来技術のノイズ低減機器は、動作のために、それらの電気部品が必要であることに留意されたい。このように、ノイズ低減デバイスは、従来技術のノイズ低減デバイスよりも、ノイズ低減に関して簡素な解決策を提供する。
【００４８】
本発明技術に関する当業者は、シングル・コイル・ピックアップによって拾われるノイズ（１つ以上の追加的な刺激）が、ピックアップを製作するのに使用されるワイヤーの長さ、使用されるワイヤーの直径、および、ピックアップに使用されるワイヤーの形状並びにシールド加工に大きく関係することを理解されよう。ピックアップにより生成されるトーンは、ピックアップのサイズと共に、ピックアップに使用されるマグネットのタイプの影響を受ける。
【００４９】
本発明の、さらなる考え得る実施形態における、ノイズ低減デバイス・コイルは、連結したコイルの群として形成され、これらのコイルの巻回長さの合計は、シングル・コイル・リングを有するコイルの一実施形態に等しい。
【００５０】
本発明のさらなる別の実施形態におけるデバイスは、２つ以上のコイルが電気的に並列接続されるよう構成されている。この実施形態におけるインピーダンスは、他の実施形態のものよりも低くなる。
【００５１】
ノイズ低減デバイス・コイルは、端子を含み、これらの端子は、開始および終了端子と記載される場合がある。これらの端子は、ノイズ低減デバイス・コイルを、弦楽器内のシングル・コイル・ピックアップのコイルに接続するのに十分な長さを有するように形成してもよい。
【００５２】
ノイズ低減デバイス・コイルは、弦楽器の既存の空洞部にすぐに取り付け可能となるように形成してもよい。例えば、この弦楽器は、その弦楽器の電子回路およびポテンショメーターや、トーンまたはボリューム・コントロール・デバイス等の、コントローラを収納するための空洞を最初から有していてもよい。予め形成される弦楽器内の空洞部は、様々な形状およびサイズであってもよい。したがって、ノイズ低減デバイス・コイルは、よく知られる弦楽器内に取り付けられるよう、予め必要な形状に形成してもよい。別の方法として、必要に応じて、ノイズ低減デバイス・コイルを、柔軟性があり、弦楽器の空洞内に取り付け可能な少なくとも１つの自由形状リングとして提供してもよい。
【００５３】
本発明のほとんどの実施形態では、ノイズ低減デバイス・コイルを楽器内の空洞に取り付けることが意図されているが、ノイズ低減デバイス・コイルを楽器の外部に取り付けることも可能であることを理解されたい。ノイズ低減デバイス・コイルの平面と、ピックアップ・コイル、および、ピックアップ・コイルの群の平面が実質的に同一平面であることを確保すること等、当然ながら一定の限界はある。
【００５４】
一部の楽器は、複数のシングル・コイル・ピックアップが取り付けられている。これらの楽器では、１つ以上のピックアップに、楽器内の１つ以上の他のピックアップのコイルの巻回に対して、逆方向に巻回しているコイルを備えてもよい。したがって、本発明の一実施形態は、一方のデバイス・ノイズ電気信号成分が他方のデバイス・ノイズ電気信号成分に対し、位相が１８０°シフトする、２種類のデバイス・ノイズ電気信号成分を生成する、一方が他方に対して逆方向に巻回された２つのコイルを有するノイズ低減デバイスを提供する。
【００５５】
この実施形態では、２つの位相シフト・ノイズ低減デバイス・コイル（各コイルはそれぞれのピックアップ・コイルに接続される）が、ピックアップ・ノイズ電気信号成分に対して、実質的に位相が１８０°シフトした、デバイス・ノイズ電気信号成分を生成する。
【００５６】
さらに別の実施形態では、高インピーダンス・ピックアップとの使用に最適な、ノイズ低減デバイスを提供する。これらの実施形態におけるノイズ低減デバイス・コイルは、例えば８、０００〜１１、０００Ωのインピーダンスを有するコイルを備えたピックアップとの使用を最適にするよう、巻回される。
【００５７】
本発明のさらなる実施形態においては、ノイズ低減デバイスを、それぞれが自由形状リングとして形成された連続する小型のコイルから形成してもよい。これらの実施形態では、１つの自由形状リング・コイルを有する、一実施形態のデバイスの長さに合わせるように、２〜４個、あるいはそれ以上の直列接続された自由形状リングを備えてもよい。１つ以上のコイルを有する実施形態においては、それらのコイルを並列接続してもよいことを理解されたい。本発明の一部の実施形態においては、複数のコイルの直列接続および並列接続が混合していてもよい。本発明の実施形態において、１つの自由形状リングは、２つ以上の電磁ピックアップを含む楽器に使用する、少なくとも１つの他の自由形状リングに対して、位相を１８０°シフトして形成され、１つの電磁ピックアップは、少なくとも１つの他の電磁ピックアップに対して、位相が１８０°シフトするよう巻回され、あるいは、少なくとも２つのピックアップ・コイルを有する少なくとも１つの電磁ピックアップを含む楽器に使用するため、１つのピックアップ・コイルは、少なくとも１つの他のピックアップ・コイルに対して、位相が１８０°シフトするように巻回される。
【００５８】
複数の小型のコイルを含むそれらの実施形態において、それらのコイルを、例えば、製造後の弦楽器内部のすでに存在する空洞や空間に配設してもよい。そのような実施例において、エレキ・ギターは、３つのシングル・コイル・ピックアップを配設するための３つの空洞を、電子回路および、トーン・コントロールまたはボリューム・コントロール・ノブを収納する他の空洞と共に、設けてもよい。このような状況では、雑音低減デバイスの複数の自由形状リング・コイルを、それぞれが、エレキ・ギターのこれら４つの空洞の対応する１つの空洞に配設することができる。各コイルは、それに対応する空洞に配設され、その空洞の側壁から圧力を受けるので、その空洞の形状に制約されると考えられる。
【００５９】
本発明の他の変型例において、ノイズ低減デバイスは、一方向に巻回されるコイルの数と、それと同数の逆方向に巻回されるコイルの数を変えてもよく、それによって、２つのシングル・コイル・ピックアップ（互いに逆方向に巻回されたコイルを有する）を有する楽器にノイズ低減機能が提供される。
【００６０】
本発明の他の実施形態においては、１つ以上のノイズ低減デバイス・コイルの１つ以上の端子に目印を付けて、ノイズ低減デバイスを楽器にどのように取り付けるべきかを示してもよい。そのような目印は、ピックアップ・コイルに直列接続すべき端子や、接地用に直列接続すべき端子を示すのに使用してもよい。さらに、楽器が複数のシングル・コイル・ピックアップ（互いに逆方向に巻回されるコイルを備える）を含んでいる場合、ノイズ低減デバイスの端子の印によって、電気的に直列接続される必要のある端子が示され、楽器の各シングル・コイル・ピックアップについても、接地用に直列接続されるべき端子を示すことができる。目印は、色、模様、言葉、および記号を含んでいてもよく、また、これらを２つ以上、組み合わせてもよい。目印は、取り付けマニュアルと組み合わせて使用されるように工夫してもよい。
【００６１】
ノイズ低減デバイスを、オプションのバランス・ポテンショメーター（ｐｏｔ）に並列接続してもよい。このようなポテンショメーターはオプションであるので、本発明のノイズ低減デバイスの効果的な動作のために必要なものではなく、楽器特性を調整する手段としてのみ機能することを理解されたい。
【００６２】
エレキ・ギター等の一部の弦楽器は、３つのシングル・コイル・ピックアップを有し、そのうちの、中央に配設されたピックアップのコイルは、他の２つのピックアップ（フロント・ピックアップとバック・ピックアップ）の巻回方向に対して、逆方向に巻回されている。本発明に関し、そのようなピックアップ配列に適した実施形態を実施してもよい。
【００６３】
他の弦楽器では、２〜３個、あるいは、それ以上のシングル・コイル・ピックアップを有し、それらは並列接続されている。本発明に関し、そのような楽器の各ピックアップ・コイルのノイズを低減するのに最適な、実施形態を実施してもよい。
【００６４】
さらなる実施形態として、デバイス・コイルは、電気的にシールドされた接続導体によってピックアップ・コイルに接続され、そのシールド導体を接地してもよい。そのような実施形態においては、電気的にシールドされた接続導体は、同軸の導体でもよい。
【００６５】
本発明の実施形態を、図を用いて説明するが、これらの実施形態は本発明を例示する目的のためのみに使用される。
【図面の簡単な説明】
【００６６】
【図１】従来技術デバイスの斜視図である。
【図２】従来技術デバイスの斜視図である。
【図３】従来技術デバイスの電気回路の図を加えた、従来技術デバイスの斜視図である。
【図４】従来技術デバイスの電気回路の図を加えた、従来技術デバイスの斜視図である。
【図５】本発明の実施形態の斜視図である。
【図６】図５のＡ−Ａ’の断面図である。
【図７】本発明の別の実施形態の斜視図である；
【図８】図７のＢ−Ｂ’の断面図である。
【図９】図５に図示した実施形態の拡大斜視図である。
【図１０】本発明のさらに別の実施形態の斜視図である。
【図１１】本発明の他の実施形態の斜視図である。
【図１２】本発明の実施形態の考え得る第１形状の平面図である。
【図１３】本発明の実施形態の考え得る第２形状の平面図である。
【図１４】本発明の実施形態の考え得る第３形状の平面図である。
【図１５】本発明の実施形態の考え得る第４形状の平面図である。
【図１６】本発明の実施形態の考え得る第５形状の平面図である。
【図１７】４つのコイルを含む、本発明の実施形態の平面図である。
【図１８】３つのコイルを含む、本発明の実施形態の平面図である。
【図１９】本発明の別の２つの実施形態によるギターの平面図であり、元の場所を示す。
【図２０】ポテンショメーターを含む本発明の別の実施形態を示す回路図である。
【図２１】可変周囲温度における、単一コイル・ピックアップのインピーダンスの複数測定値に基づく、結果を線表示したグラフである。
【図２２】ノイズ低減デバイスを評価するための実験設定を示す図である。
【図２３】図２２の設定を使用した評価の結果を個別に示すグラフである。
【図２４】図２２の設定を使用した評価の結果を個別に示すグラフである。
【発明を実施するための形態】
【００６７】
シングル・コイル・ピックアップからのハムおよびノイズを低減するため、そのようなハムやノイズを拾う回路／コイル／アンテナを導入することが望ましい。そのようなシステムが受動的に同じ、あるいは、同じぐらいの量のノイズをシングル・コイル・ピックアップに導くことが望ましく、それによって、そのノイズは、シングル・コイル・ピックアップから出力されるノイズ信号に対して、位相が約１８０°シフトした信号によって運ばれる。
【００６８】
このことを念頭に置き、本発明の実施形態は、１つ以上のピックアップの、トーン等の音楽的特性を実質的に変えることなく、楽器の、１つ以上のピックアップからのノイズを取り除く、または、少なくとも低減できるように設計されたデバイスを提供する。本発明のノイズ低減デバイスは、従来技術のデバイスと比較すると、巻回方法が異なり、サイズおよびインピーダンスも異なる。
【００６９】
本発明の発明者は、本発明のノイズ低減デバイスに、様々な周囲温度において、シングル・コイル・ピックアップのインピーダンス値と同様に変動するインピーダンスの値を持たせると、シングル・コイル・ピックアップの音質の相違を全く、あるいは、ほとんど聞き分けることができないノイズ低減デバイスを結果的に得られることを発見した。
【００７０】
発明者はさらに、本発明のノイズ低減デバイスの実施形態における１つ以上のコイルが、ピックアップ・コイル内に、ノイズ電気信号成分を生成するノイズが効果的に反転されるのに十分なノイズ電気信号成分値を生成し、それによって、ピックアップ・ノイズ電気信号成分の位相が、デバイス・ノイズ電気信号成分に対して実質的に１８０°シフトすることを発見した。
【００７１】
本発明の実施形態において、ノイズ低減デバイスのワイヤー・コイルは、３４〜４２ＡＷＧのワイヤーを巻回して使用してもよい。ノイズ低減デバイスのコイルに、巻回して使用するワイヤーの長さは、結果的に得られるコイルのインピーダンスが約１００〜１２００Ωの間になるように調整する。数式に一致するよう、パラメータは、ピックアップ・コイルの抵抗値に応じて調整する。
【００７２】
本発明の実施形態における反応インダクタンスの値は、典型的に０．０１〜０．０４Ｈである。ノイズ低減デバイスにその反応インダクタンス値を設定しても、シングル・コイル・ピックアップのトーンへの影響はほとんどない。
【００７３】
本発明のノイズ低減デバイス１００の一実施形態を図５に示す。デバイス１００は、ワイヤー・コイル１０２を含み、ワイヤー・コイル１０２は、特定のキラル方向、つまり、左方向、または、右方向に巻回される。これは、時計方向巻回、または反時計方向巻回と称されることもある。コイルの巻回は、デバイス１００が接続される対応するシングル・ピックアップの巻回に基づいて、判断される。シングル・コイル・ピックアップ内に生成されたノイズ電気信号成分に対して、位相が実質的に１８０°シフトしたノイズ電気信号成分をコイル内に生成するため、デバイス・コイルの巻回は、シングル・コイル・ピックアップのコイルの巻回と逆方向、すなわち、シングル・コイル・ピックアップのコイルが時計方向に巻回されていると、デバイス・コイルは、反時計方向に、巻回される必要がある。
【００７４】
デバイス１００のコイル１０２は、絶縁カバー１０４を有する。絶縁カバーは、プラスチック材料等の絶縁材料、または、絶縁材料の混合物から形成してもよい。絶縁カバーは、コイルを形成するためコイル・ワイヤーが巻回された時に、コイル・ワイヤーを受け入れ、コイル上に折り重ねることができる、予め形成されたプラスチック基板でよい。端子１０６と１０８が、それぞれ、シングル・コイル・ピックアップ接続と接地用接続をできるようにするため、絶縁カバーに、出入口を設ける必要がある。
【００７５】
本発明の一部の実施形態において、端子１０６から、シングル・コイル・ピックアップの対応する端子に延伸する区間のワイヤーは、例えば、金属箔チューブにより、電気的にシールドされてもよい。シールドは、接地される。シールド処理によってワイヤー区間からの電気ノイズ信号は除去されるか、大幅に低減されるが、デバイス・コイルはシールド加工されないままなので、トーン特性に重大な悪影響が及ぼされることはない。同様のシールド加工を、端子１０８から接地まで延伸するワイヤーの区間にも行ってよい。
【００７６】
本発明の他の一実施形態における、カバー１０４は、プラスチック絶縁テープから形成してもよい。その実施形態において、コイルを、基板あり、または、なしで巻回してもよく、コイルを巻回した後は、巻回したコイルの周りを、テープを使って螺旋形に包んでもよい。再度、テープは、端子１０６および１０８がカバーから突出し、接続できるよう、配慮する必要がある。
【００７７】
デバイス１００のワイヤー・コイル１０２は、カバーする必要がないことを、理解されたい。コイル１０２は、例えば、銅ワイヤーで形成してもよく、カバーは使用しなくてもよい。さらに、自ら接合したワイヤーを使用して、コイル１０２を形成してもよい。
【００７８】
図６は、図５のＡ−Ａ’の断面図である。図６では、デバイス１００のコイル１０２が、この実施形態において、約３０個の環状のコイル・ワイヤー１１０で構成されていることが明確に分かる。コイルの数は、デバイス１００の所望のインピーダンスおよび／またはインダクタンス、並びに、使用するワイヤーのゲージ、および、特性に応じて、増減してもよいことを理解されたい。
【００７９】
図６では、ワイヤー・コイルが、リボン形状に似た自由形状リングを形成していて、コイル１０２の巻線１１０の外形は、比較的平らであることがわかる。そのようなコイル１０２の断面形状は、楽器の狭い空洞スペース内にコイルを取り付けることが所望される場合に有益である。
【００８０】
図７は、デバイス１００の別の実施形態を示し、デバイス１００は、より円形の断面形状を有するように巻回されたコイル１０２を有する。このことは、図７のＢ−Ｂ’の断面図である図８において、より明確にされる。
【００８１】
図７および８に示すように、「束ねて」巻回することにより、楽器内のより低く、より幅の広い空洞スペースに、コイルを挿入することが所望される場合により有益である。
【００８２】
図８は、すでに図５に図示した実施形態をさらに拡大した図である。
【００８３】
図１０は、デバイス１００の２つのコイルである１０２と１０２’の実施形態を示す。一方のコイル１０２は、他方のコイル１０２’に対して逆向きに巻回されている。つまり、一方のコイル１０２は、時計方向に巻回され、他方のコイル１０２’は反時計方向に巻回されている。他の実施形態では、１つのシングル・コイル・ピックアップに、３〜６個、あるいは、それ以上のコイルを有してもよいことを理解されたい。
【００８４】
各コイルは、それぞれに端子を有し、コイル１０２は、第１シングル・コイル・ピックアップ用に端子１０６を、接地用に端子１０８を有する。コイル１０２’は、第２シングル・コイル・ピックアップ用に端子１１２を、接地用に端子１１４を有する。他の実施形態において、楽器は２つ以上のピックアップを有してもよいことを理解されたい。さらに、楽器は、シングル・コイル・ピックアップと他のタイプのピックアップを混合していてもよく、その他のタイプのピックアップは、本発明を採用していても、していなくてもよい。
【００８５】
図１０に示すデバイス１００の実施形態は、２つのシングル・コイル・ピックアップを有する楽器、すなわち、第１ピックアップは、一方向に巻回されたコイルを有し、第２ピックアップは、第１ピックアップのコイルとは逆方向に巻回されたコイルを有する、２つのシングル・コイル・ピックアップを有する楽器に最適であることが理解されよう。
【００８６】
図１１はさらに、２つの分離したコイル１０２と１０２’を有するデバイス１００を示す。この実施形態において、一方のコイル１０２は、反時計方向に巻回され、他方のコイル１０２’は、時計方向に巻回される。コイルの端子は、デバイス１００の両端の側面からそれぞれ延出する。
【００８７】
図１２、１３、１４、１５、および１６は、シングル・コイル１０２を有するデバイス１００の、それぞれ異なる実施形態を示す。このコイルは、自由形状リングを形成し、この自由形状リングは、様々な形状にすることができるので、コイルを楽器内の付随的形状の空洞に収納するのに適している。本デバイスの他の実施形態では、特定の電子弦楽器の既知の形状を有する空洞内にデバイスを挿入できるよう、デバイスの形状の設計仕様を予め固定可能であることを理解されたい。
【００８８】
図１２は、「クローバー」形状の自由形状リングを図示する。この形態は、特定のエレキ・ギター・ブランドの電子回路、および、コントロール・ノブ（ポット）を囲む空洞に、デバイス１００を挿入するのに最適である。
【００８９】
図１３は、デバイス１００のコイル１０２を図示し、このコイル１０２は、四角形状１１８を有するので、この形状に対応する、四角形の空洞を有する楽器に使用するのに最適である。
【００９０】
図１４は、形状１２０を有するコイル１０２の形態であり、この形状１２０は、山形１２２によって、連なった山のように見える。このような形態は、一定のデザイン仕様のギターのシングル・コイル・ピックアップを囲む空洞に挿入するのに最適である。
【００９１】
図１５は、デバイス１００のコイル１０２の「シューズ」形状１２４を示し、このコイルは、特定のデザイン仕様のエレキ・ギター内の、電子回路とコントロール・デバイスを収納する空洞に配設するのに最適である。
【００９２】
図１６は、デバイス１００のシングル・コイル１０２の、さらなる実施形態であり、このコイルは、「ハンマー」形状１２６を有する。
【００９３】
図１７および１８は、様々な形状と、様々な個数のコイルが含まれる、デバイス１００の複数コイル設計仕様の、実施形態を示す。
【００９４】
図１７は、直列接続されたコイル１０２を有するデバイス１００を示し、１つの主コイル１３０と、３つの副コイル１３２が含まれる。この特定の形状１２８に形成されたコイルは、弦楽器のボディ内の、別々の空洞に挿入する場合に最適である。
【００９５】
図１８も、直列接続されたコイル１０２であり、３つの山形形状のコイル１３６を有し、これらのコイルによって形状１３４が形成され、楽器の空洞内に配設されるのに適切である。
【００９６】
図１９は、エレキ・ギター１３８内のノイズ低減デバイス１００の応用例を示す。ギターは、フロント・ピックアップ１４０、ミドル・ピックアップ１４２、およびバック・ピックアップ１４４の、３つのシングル・コイル・ピックアップを有する。ギターはさらに、電子回路とコントロール・ノブ（ポット）１４６を有する。
【００９７】
この特定のギター１３８の、ピックアップ１４０、１４２、および、１４４は、回路、並びにコントロール・ノブ１４６と共に、すべてが１つの空洞スペース１４８に配設される。
【００９８】
図１９は、２種類の異なる形状のデバイス１００を、空洞スペース１４８内に取り付け可能であることを示す。１番目の形状は、図１４に類似するが、ピックアップの周囲に配設可能である。デバイスの他方の形状は、図１５に類似し、コントロール回路、および、ノブ１４６を囲む空洞スペース１４８内に配設可能である。
【００９９】
いくつかの応用例において、デバイス１００の形状１２０と１２４が、１台のエレキ・ギター１３８内の使用に最適である。
【０１００】
図２０は、デバイス１００が端子１０６を介してシングル・コイル・ピック１６２に直列接続されている状態を示す回路図１６０である。シングル・コイル・ピックアップは、次に、信号出力部１６８に直列接続される。デバイス・コイル１０２は、端子１０８を介して、周囲１７０に直列接続される。
【０１０１】
回路図１６０は、デバイス１００にオプションのバランス・ポット、または、ポテンショメーター１６６が備えられてもよいことを示す。ポテンショメーターは、デバイス１００によるノイズ低減効果を得るためには必要でないが、音楽信号に好ましいトーン性能を付与することができる。
【０１０２】
図２１は、グラフ１７２であり、Ｙ軸は、０〜４０℃の温度変化を示し、Ｘ軸は、６．５〜９．０ｋΩのインピーダンス（単位：ｋΩ単位）を示す。グラフ１７２は、様々な周囲温度におけるシングル・コイル・ピックアップのコイルのインピーダンスの変動を示す。
【０１０３】
グラフ１７２中の表示線１７８は、シングル・コイル・ピックアップの０℃、１８℃、および、３２℃におけるインピーダンスの実測値に基づく。表示線１７８から判るように、周囲温度とシング・コイル・ピックアップの予期されるインピーダンスの間は、直線関係にある。
【０１０４】
同じ温度下のシングル・コイル・ピックアップのインピーダンスを変化させる方法に類似した方法で、温度に応じてインピーダンスを変化させるよう、デバイス１００のコイル１０２を設定できることが発見された。シングル・コイル・ピックアップ、および、ノイズ低減デバイスのコイルのインピーダンスの量子は、必ずしも同じではないが、一定の温度下でのインピーダンスの変化量は、ほぼ一定である。
【０１０５】
図２２は、セットアップ２００を示すが、この設定により、シングル・コイル・ピックアップ２０６を使用した場合のノイズ低減デバイス１００が評価される。この評価例に使用したピックアップは、再発売のＦｅｎｄｅｒ（Ｒ）６２シングル・コイル・ピックアップ（インピーダンス：５．６ｋΩ）である。
【０１０６】
ノイズ低減デバイスが、例えば、ギターに配設される本発明の多くの実施形態と同様に、ノイズ低減デバイス１００とシングル・コイル・ピックアップ２０６は、同じ平面上に載置される。この設定例では、ノイズ低減デバイスのコイルは、３８ＡＷＧワイヤー（コイル内のインピーダンス：６８０Ω）から形成される。
【０１０７】
ノイズ低減デバイスとシングル・コイル・ピックアップの間の中央ポイントから１メートル離れた場所に、ノイズ源２０２を配置した。ノイズ源２０２は、ノイズ低減デバイスとシングル・コイル・ピックアップが載置された平面に垂直に置かれ、信号ノイズは、ノイズ源から、ライン２１２に沿って送信され、ライン２１２から対称的かつ外側に、ノイズ低減デバイスとシングル・コイル・ピックアップに向かって伝搬したことが理解されよう。
【０１０８】
軸２０８は、ノイズ源２０２からの、０°の軸に沿った電磁波の伝搬の方向を示す。同様に、軸２１０は、０°の軸に沿った、シングル・ピックアップ・コイル２０６に向かう電磁波の伝搬の方向を示す。
【０１０９】
このセットアップ２００のシングル・コイル・ピックアップ２０６とノイズ低減デバイス１００に送信した信号のピークトゥピーク電圧（Ｖｐｐ）は、別々に測定した。Ｖｐｐは０°軸からのオフセット・レベルにより測定し、オフセットは、１０ステップ単位で測定する。
【０１１０】
図２３および２４は、図２２に示すセットアップ２００を使用した評価の結果を、シングル・ピックアップ２０６とノイズ低減デバイス１００に分けて示す。
【０１１１】
図２３は、シングル・コイル・ピックアップ２０６のＶｐｐ／オフセット・レベルのグラフ３００を示す。表示ライン３０２は、軸２１０の０°軸に対する、８０〜９０°オフセットを１０°単位で増分してＶｐｐをトレースする。
【０１１２】
図２４は、ノイズ低減デバイス１００のＶｐｐ／オフセット・レベルを示すグラフ４００であり、ライン４０２は、Ｖｐｐの結果点を、軸２０８の０°軸に対する８０〜９０°のオフセットを１０°単位で増分してプロットしている。
【０１１３】
図２２のノイズ源２０２は、５０Ｈｚのノイズ信号を生成する。ノイズ信号は、増幅器（図示せず）により、２０倍に増幅される。
【０１１４】
セットアップ２００を使用した評価によると、シングル・コイル・ピックアップ２０６とノイズ低減デバイス１００に導かれたノイズは互いに非常に類似していることが示される。表示されたライン３０２および４０２の形状は、このことを明確に実証している。したがって、ノイズ低減デバイスは、デバイス１００をシングル・コイル・ピックアップと直列に配置し、位相を１８０°（５０Ｈｚ信号）シフトすることによって、ノイズ低減を実現する。
【０１１５】
評価は、図２２に示すセットアップ２００の変型例等、別のセットアップを使用して行ってもよいことを理解されたい。例えば、ノイズ源２０２からノイズ低減デバイス１００およびシングル・コイル・ピックアップ２０６の間の距離を変えてもよく、それによって、図２３および２４に示される結果とは違う周波数の信号が得られてもよい。その他にも、様々な変型例を用いてもよい。
【０１１６】
一実施形態において、ｐは約１．６８  ｘ  １０−８Ωｍ（銅ワイヤー）であり；Ｌは約３４５メートルであり；Ａは約８  ｘ  １０−９ｍ２であり；Ｒまでは約５．８ｋΩである。
【０１１７】
約５．８ｋΩの抵抗を有するシングル・コイル・ピックアップ２０６と、４４ＡＷＧの銅ワイヤーを使用して巻回したコイルを使用し、デバイス・コイルの導体の断面であるＡに、３８ＡＷＧまたは３９ＡＷＧに相当するものを選択した場合に、デバイスのトーンの質が最良であったことが発見されている。デバイス・コイルに、より大きな、または、小さな直径のワイヤーを使用した場合、トーンの質は低下する。
【０１１８】
弦楽器内の電磁ピックアップ・デバイスにとって背景ノイズが問題となる場合、受動的なノイズ低減が望ましい。さらに、シングル・コイル・ピックアップの元のティンバーやトーンを変えずに、ノイズを低減することが望ましい。
【０１１９】
背景ノイズが問題となる場合、ノイズ低減デバイスを、他の用途にも使用してもよい。そのような用途には、例えば、受動的ノイズ低減を必要とする、撮像、スキャニング、または、科学調査用の機械および／または機器が挙げられる。
【０１２０】
本発明は、上記のいずれか一項、または、それ以上の実施形態に基づいて実施される。本発明の技術に関する当業者は、他の実施形態の実施も可能であり、それらも本発明の請求範囲に含まれることを理解されたい。
【０１２１】
本明細書、および、後続の請求項全体を通じ、文脈上において指示がない限り、用語の「ｃｏｍｐｒｉｓｅ（含む）」および、その派生語である「ｃｏｍｐｒｉｓｅｓ」、および、「ｃｏｍｐｒｉｓｉｎｇ」は、明示された完全体またはステップ、あるいは、完全体の群またはステップの群を含むが、他の完全体またはステップ、あるいは、完全体の群またはステップの群を除外しないことを理解されたい。
【０１２２】
本明細書内の従来技術の引用は、従来技術が一般知識の一部を形成するとして承認されたもの、あるいは、任意の形式の提案として、見なされず、また、見なすべきではない。
【図１】
2016519789.tif 000003
【図２】
2016519789.tif 000004
【図３】
2016519789.tif 000005
【図４】
2016519789.tif 000006
【図５】
2016519789.tif 000007
【図６】
2016519789.tif 000008
【図７】
2016519789.tif 000009
【図８】
2016519789.tif 000010
【図９】
2016519789.tif 000011
【図１０】
2016519789.tif 000012
【図１１】
2016519789.tif 000013
【図１２】
2016519789.tif 000014
【図１３】
2016519789.tif 000015
【図１４】
2016519789.tif 000016
【図１５】
2016519789.tif 000017
【図１６】
2016519789.tif 000018
【図１７】
2016519789.tif 000019
【図１８】
2016519789.tif 000020
【図１９】
2016519789.tif 000021
【図２０】
2016519789.tif 000022
【図２１】
2016519789.tif 000023
【図２２】
2016519789.tif 000024
【図２３】
2016519789.tif 000025
【図２４】
2016519789.tif 000026
【国際調査報告】
2016519789.tif 000027
2016519789.tif 000028
2016519789.tif 000029